(57)【要約】【課題】  観覧者自らの手動の力で電力が得られ、しかも、手動が終わった後で音声が発生するために、望遠鏡を操作する手元が狂うことはなく、安定した音声も得られる音声ガイド装置付き観光用望遠鏡設備を提供する。【解決手段】  起立支持体に、起電ハンドルの回転で機械エネルギーとして蓄えた力を利用する発電装置を具備する一方、その電力によりそれぞれ作動するコインセンサー及びタイマー制御部、並びに観光案内する録音再生装置を内装し、発電装置については、機械エネルギーとして力を蓄えるために、バネ類が巻かれている巻戻りドラムに並列してそれからの巻取りドラムを起電ハンドルと同軸に設け、巻取りドラムまたは巻戻りドラムのいずれかの回転軸と発電機との間に、戻り軸回転のみを発電機に伝達する一方向回転接続クラッチを設けた。【選択図】    図２
2005141179.tif 000002
【特許請求の範囲】
【請求項１】
起立支持体に望遠鏡を旋回および上下揺動可能に搭載し、タイマー制御によりコイン投入から一定時間シャッターが開くように、コインの投入口が具備された有料の観光用望遠鏡設備において、起立支持体に、起電ハンドルの回転で機械エネルギーとして蓄えた力を利用する発電装置を具備する一方、その電力によりそれぞれ作動するコインセンサー及びタイマー制御部、並びに観光案内する録音再生装置を内装し、発電装置については、機械エネルギーとして力を蓄えるために、バネ類が巻かれている巻戻りドラムに並列してそれからの巻取りドラムを起電ハンドルと同軸に設け、巻取りドラムまたは巻戻りドラムのいずれかの回転軸と発電機との間に、戻り軸回転のみを発電機に伝達する一方向回転接続クラッチを設け、さらに、バネ類を巻ききったときにハンドルがスリップする機構を具備したことを特徴とする音声ガイド装置付き観光用望遠鏡設備。
【請求項２】
起立支持体が基部台と、その上に設けられるボックスとからなり、ボックスの前面に起電ハンドルを取り付け、内部に発電装置及び録音再生装置の各主要部を装備し、望遠鏡に録音再生装置の一部としての音声発生装置ないしイアホーンを装備したことを特徴とする請求項１記載の音声ガイド装置付き観光用望遠鏡設備。
【請求項３】
上端に望遠鏡が旋回および上下揺動可能に搭載され、前面に起電ハンドルが取り付けられ、コインの投入口が設けられ、さらにその起電ハンドルの回転で起電される発電装置やそれにより作動して観光案内する録音再生装置等が内装された起立支持体をボックス形に形成し、そのボックス形の起立支持体の側面に、前記発電装置の電力を補足するために補助電源として備蓄するための太陽電池パネルを貼り付けて搭載したことを特徴とする請求項１記載の音声ガイド装置付き観光用望遠鏡設備。
【発明の詳細な説明】
【技術分野】
【０００１】
この発明は、主に景勝地を見晴らす場所に設置される音声ガイド装置付き観光用望遠鏡設備に関する。
【背景技術】
【０００２】
景勝地を見晴らす展望台には、観光案内のために有料の望遠鏡設備や景観を説明する観光案内板が置かれる。観光用望遠鏡設備は、一般的に円錐形の基部台の上に胴部を設け、その上に縦軸と横軸との２軸で支持される双眼の望遠鏡を取り付けたもので、現在では、１００円硬貨を投入すると、望遠鏡のシャッターが一定（１〜３分程度）の時間だけ開くので、その間に望遠鏡を自在に向けて遠くを観察しうる。しかし、殊に景勝地では、シャッターを作動させるための電源として電池を内蔵していたので、それを取り替える手数を要するばかりでなく、使用済み電池の廃棄を誤ると地球環境に悪影響を及ぼすおそれがあるという問題があった。
【０００３】
観光案内板は、例えば、幾重にも並ぶ名山や湖沼、名刹等を描き、名称等を付記して観光案内がなされるが、視覚のみに訴える案内であるため詳しい情報に不足し、景色を理解しやすくするには限界があるので、分かりやすい話言葉による説明が欲しい場合があった。電気が導入される生活環境に近い観光案内館等では、観光客がボタン操作すれば、画面と音声により観光案内が行われる設備を具えているが、この設備では、閉塞された屋内であるため、実際の景観を見ての案内ではなく、リアル性や迫力に欠けるという問題があった。
【０００４】
この点については、景勝地を見晴らせる場所は、録音再生装置を作動させるのに要する電気を引くことは困難であり、配電設備は経済的に望めないし、架空配電線が美観を損なうおそれがあり、法的に規制されているエリアもある（河川法、公園法など）。また、録音再生のために電池を用いるとなると、いずれその消耗により録音再生装置の機能が喪失する問題があるばかりか、前記したように電池の廃棄処分が地球環境を汚染するという問題もあるので、必ずしも安易に採り入れることはできなかった。
【０００５】
なお、望遠鏡設備と観光案内板とは、共に視覚に訴えるもので、同時使用ができないことから、従来独立して別々に設置されていた。
【発明の開示】
【発明が解決しようとする課題】
【０００６】
この発明は、上記のような実情に鑑みて、観光用望遠鏡を覗いて遠くの景観をはっきり見ながら、録音の再生によりその景観の説明を聞くことができるので、視覚と聴覚と合わせた懇切丁寧な観光案内となり、この場合、望遠鏡の有料のためのシャッターの開閉や、録音再生のための動力のために、配線による電気の導入や電池の装填が不要であり、観覧者自らの手動の力で電力が得られ、しかも、手動が終わった後で音声が発生するために、望遠鏡を操作する手元が狂うことはなく、安定した音声も得られる音声ガイド装置付き観光用望遠鏡設備を提供することを目的とした。
【課題を解決するための手段】
【０００７】
上記の目的を達成するために、この発明は、起立支持体に望遠鏡を旋回および上下揺動可能に搭載し、タイマー制御によりコイン投入から一定時間シャッターが開くように、コインの投入口が具備された有料の観光用望遠鏡設備において、起立支持体に、起電ハンドルの回転で機械エネルギーとして蓄えた力を利用する発電装置を具備する一方、その電力によりそれぞれ作動するコインセンサー及びタイマー制御部、並びに観光案内する録音再生装置を内装し、発電装置については、機械エネルギーとして力を蓄えるために、バネ類が巻かれている巻戻りドラムに並列してそれからの巻取りドラムを起電ハンドルと同軸に設け、巻取りドラムまたは巻戻りドラムのいずれかの回転軸と発電機との間に、戻り軸回転のみを発電機に伝達する一方向回転接続クラッチを設け、さらに、バネ類を巻ききったときにハンドルがスリップする機構を具備したことを特徴とする音声ガイド装置付き観光用望遠鏡設備を提供するものである。
【０００８】
音声ガイド装置付き観光用望遠鏡設備を上記のように構成したから、起電ハンドルの操作によりバネ類に機械エネルギーを蓄え、それを電力に持続的に変えることによって、コイン投入に伴う望遠鏡のシャッターの開閉、録音再生装置の作動を行うもので、遠くを詳しく見ながら音声による案内を聞くことができる。
【０００９】
上記の発電装置の場合、録音再生等に要するだけの電力で足りることになるので、ハンドルを過度に回す必要がなく、バネ類を巻き過ぎて故障の原因とならないように、バネ類の巻き数が一定に達すると、スリップ機構が働いてそれ以上の巻き数の増加が防止されるようにすることが望ましい。
【００１０】
以上の観光用望遠鏡設備を見る限りには、電気エネルギーを備蓄する電池（バッテリー）は不要ではあるが、ハンドルを回転する負担を軽減するために、太陽光発電パネルをボックスに取り付けて（請求項３）、その電力を備蓄しておき、備蓄電力を小出しにしてハンドルの回転数や負荷を少なくするようにする。
【発明の効果】
【００１１】
以上説明したように、この発明の音声ガイド装置付き観光用望遠鏡設備によれば、視覚と聴覚にリアルに訴えるダイナミックな観光案内やＰＲ等をなすことができ、配電に不都合な箇所においても電池を使用することなく、利用者の起電により設備を作動させることができるという優れた効果がある。
【発明を実施するための最良の形態】
【００１２】
図１は第１の実施形態を示し、図２は第２の実施形態を示す。両方の音声ガイド装置付き観光用望遠鏡設備は、いずれも基部台２とボックス３とからなる起立支持体１の上に双眼の望遠鏡５が搭載されるが、違いの主な点は、望遠鏡５の設け方についてであり、その他、コインの投入口６が図１ではボックス３に、図２では基部台２に設けられているというように違いが見られる。
【００１３】
基部台２の上のボックス３には、正面に起電ハンドル７が取り付けられ、内部には起電ハンドル７による発電装置９や、録音再生装置１１が設けられている（図２）。操作手順については、例えば、起電ハンドル７を約１０回転程度回すと、音声ガイドが始まり、その指示にしたがって硬貨を投入すると、望遠鏡５のシャッターの開きで視界が開き、眺望時間が過ぎると（時間はタイマーにより可変）シャッターが自動的に閉じるようにする。
【００１４】
発電装置９は、定トルクバネ１３を起電ハンドル７で巻き取り、巻き戻る力を利用して発電機２６を起動させるようにしたもので、ボックス３の中に基板１７を設け、ボックス３の前面壁と基板１７との間に巻取りドラム１９と巻戻りドラム２１とがそれぞれ軸承され、巻戻りドラム１９の回転軸２３に一方向回転接続クラッチ２５を介して発電機２６が接続され、基板１７に発電機２６の取付板２８と、録音再生装置１１の主要部の取付板３０とがセパレータを介して間隔を隔てて設けられる。なお、録音再生装置１１について、３２はコンデンサー、３４は音声再生回路である。
【００１５】
なお、図２において、４９には、ハンドル・スリップ機構が設けられている。バネ（ゼンマイ、定トルクバネ）類を巻ききって、さらに、力を加えて巻いた場合、バネが変形したり、破損したりすることがある。そのため、所定の回数以上巻いても、ハンドルがスリップする機構を設け、破損を防ぐものである。トルクリミッターなどを使用して、所定のトルク以上では（オーバートルクで）、ハンドルがスリップするように構成されている。
【００１６】
そこで、起電ハンドル７を時計回りに回転すると、巻戻りドラム２１から巻取りドラム１９に定トルクバネ１３が巻き取られるが、その時の巻取りドラム１９の回転は一方向回転接続クラッチ２５で自動的に切られて発電機２６には伝達されなく、巻き戻される時にのみその回転が伝達され発電がなされる。このとき定トルクバネ１３の性能ないし機能から回転速度に変化は少ないが、さらに安定した電力が得られるように、変速機を介在させることにより回転速度を一定に制御するようにしても良い。なお、バネ類については、定トルクバネ１３の他、ゼンマイバネが使用に適する。
【００１７】
起電ハンドル７の回転を例えば数回ないし十数回行ってから手を放したときに、定トルクバネ１３に蓄えられた機械エネルギーが電気エネルギーに持続的に変換され、その電力により録音再生装置１１が作動し、音楽とともに「コインを入れて下さい」などのメッセージが流れるので、コインを投入すると望遠鏡５のシャッター２７が開くとともに、録音再生装置１１が景観等の説明になるので、望遠鏡５で遠くの景観を見ながら、音声によりその説明を聞くことができる。
【００１８】
望遠鏡５の設け方については、図１の場合であると、ボックス３に起立する頸部３３に縦軸を内装し、その上端にＵ字形の支持フレーム３５を取り付け、支持フレーム３５の間に望遠鏡５が上下揺動するように軸支される。また、図２の場合であると、ボックス３の上に支持フレーム３７を立設し、それに望遠鏡５が上下揺動可能に軸支され、この望遠鏡５の旋回については、座部４に対して起立支持体１が軸回転するもので、こうして望遠鏡５が方向自在となっている。したがって、この場合であると、望遠鏡５の旋回方向とともに起電ハンドル７やコインの投入口６等が同時に方位を変えることになる。
【００１９】
望遠鏡５は、普通の観光用望遠鏡と同様に、対物レンズ３９の反対側の接眼部４１の内部にシャッター２７が電気的に開閉するように内装されているが、接眼部４１近くの両側からＬ字形のアーム４３，４３を突設し、両方の先端に音声発生装置４５，４５が装着される。したがって、耳元で説明を聞きながら望遠鏡５を覗く姿勢を保持できる。なお、音声発生装置４５，４５としては、スピーカー、イアホーン、ヘッドホーン等が使用される。
【００２０】
コイン投入口６が設けられる箇所、つまり、図１ではボックス３に、図２では基部台２にそれぞれコイン受け箱４６が内装され、投入口６とコイン受け箱４６との間にコインセンサー及びタイマー制御部４７が設けられる。そこでコインを投入すると、これが感知されて望遠鏡５のシャッター２７が一定時間開き、その一定の時間に観光地の様々な案内やＰＲを行い、また、景観にマッチする素敵な音楽を流したりする。これで景色と音声による感動的なパノラマ装置となる。
【００２１】
案内については、日本語の他、英語、中国語というように、あるいは地理、歴史、動物というように、選択して説明が聞けるように、ボックス３には音声選択ボタン４８，４８，４８が設けられる。
【００２２】
また、テープからの再生のように最初から最後まで一律に説明が続くようにしても良いが、例えば光ディスクを内蔵するコンピュータ制御により、望遠鏡５の向きを感知してそれに従う対応説明となるようにすることもできる。逆に、望遠鏡５が駆動装置により方位を自動的に変えてそれに沿った案内がなされるようにもなし得る。この場合も、電源としてバネに蓄積したエネルギーを利用する。さらに、ＡＭ，ＦＭ用のボタンを設置し、災害や天候に関するラジオ放送を聞けるような機能を付加すると、高山等では登山者の身の安全を守る上で好ましい。
【００２３】
なお、この発明の音声ガイド装置付き観光用望遠鏡設備は、観光地ばかりでなく、高層ビルや船舶等の展望台等に設置して有効に利用され得る。また、起立支持体１は、基台部２とボックス３とで構成したが、一体の筒形とする等、その形状は限定するものではない。
【００２４】
図９は、他の実施形態を示したもので、その音声ガイド付き案内装置は、起立支持体１が前記基部台２およびボックス３を一体にして胴形に形成したもので、その上に望遠鏡５が搭載され、前面に起電ハンドル７が突設され、その下にコインの投入口６が開口される。
【００２５】
起立支持体１は、４面を有する四角形であって、左右側面と後ろ面に太陽光発電パネル５０が張り付けられ、内部に蓄電池が内装され、これによって、録音再生装置１１などを作動させる電力不足が補われる。そのため、この蓄電により日中では、通常よりかなり少ない巻き数で使用が可能となる。
【００２６】
太陽光発電パネル５０は、補助電源として搭載されるもので、録音再生装置１１の電源としての充電量を表示する電源としても利用する。表示は１から数個の発光ダイオードなどを使用する。そして、発光しているダイオードから所定の音声サービスに必要な巻き数を表示するようにしてある。
【００２７】
また、夜間に音声ガイドが制限されることにする場合がある。それについては、太陽光発電パネルを搭載して、発生する電気が微量な場合は、夜間になったと判断して使用が不可になるようにする。
【図面の簡単な説明】
【００２８】
【図１】この発明の一の実施形態を示す音声ガイド装置付き観光用望遠鏡設備の斜視図である。
【図２】この発明の他の実施形態を示す一部切欠した音声ガイド装置付き観光用望遠鏡設備の側面図である。
【図３】さらに他の実施の形態を示す音声ガイド装置付き観光用望遠鏡設備を示す斜視図である。
【符号の説明】
【００２９】
１  起立支持体
２  基部台
３  ボックス
５  望遠鏡
６  コインの投入口
７  起電ハンドル
９  発電装置
１１  録音再生装置
１３  バネ類としての定トルクバネ
１９  巻取りドラム
２１  巻戻りドラム
２３  回転軸
２５  一方向回転接続クラッチ
２６  発電機
２７  シャッター
４５  音声発生装置
４７  コインセンサー及びタイマー制御部
４９  ハンドル・スリップ機構
５０  太陽光発電パネル
【図１】
2005141179.tif 000003
【図２】
2005141179.tif 000004
【図３】
2005141179.tif 000005